(57)【要約】【課題】次世代のＬＴＥ方式の移動通信システムにおいて、「Ｆｏｒｗａｒｄ  Ｃｏｍｐａｔｉｂｉｌｉｔｙ」を実現する。【解決手段】本発明に係る移動通信システムにおいて、無線基地局ｅＮＢが、移動通信システムにおいて使用される周波数帯域幅が設定されるパラメータを含む報知情報を送信し、受信した報知情報に含まれるパラメータに所定値が設定されている場合に、移動局ＵＥ＃１は、第１周波数帯域幅を、移動通信システムにおいて使用される周波数帯域幅であると判断し、移動局ＵＥ＃２は、第１周波数帯域幅とは異なる第２周波数帯域幅を、移動通信システムにおいて使用される周波数帯域幅であると判断する。【選択図】図５
2010136309.tif 000002
【特許請求の範囲】
【請求項１】
第１能力を具備する第１移動局及び第２能力を具備する第２移動局が混在することが可能な移動通信システムであって、
無線基地局が、前記移動通信システムにおいて使用される周波数帯域幅が設定されるパラメータを含む報知情報を送信するように構成されており、
受信した前記報知情報に含まれる前記パラメータに所定値が設定されている場合に、前記第１移動局は、第１周波数帯域幅を、前記移動通信システムにおいて使用される周波数帯域幅であると判断するように構成されており、
受信した前記報知情報に含まれる前記パラメータに前記所定値が設定されている場合に、前記第２移動局は、前記第１周波数帯域幅とは異なる第２周波数帯域幅を、前記移動通信システムにおいて使用される周波数帯域幅であると判断するように構成されていることを特徴とする移動通信システム。
【請求項２】
前記パラメータには、前記移動通信システムの下りリンクにおいて使用される周波数帯域幅が設定されるように構成されており、
前記パラメータは、前記報知情報を構成するＭＩＢ（Ｍａｓｔｅｒ  Ｉｎｆｏｒｍａｔｉｏｎ  Ｂｌｏｃｋ）に含まれるように構成されていることを特徴とする請求項１に記載の移動通信システム。
【請求項３】
前記パラメータには、前記移動通信システムの上りリンクにおいて使用される周波数帯域幅が設定されるように構成されており、
前記パラメータは、前記報知情報を構成するＳＩＢ（Ｓｙｓｔｅｍ  Ｉｎｆｏｒｍａｔｉｏｎ  Ｂｌｏｃｋ）に含まれるように構成されていることを特徴とする請求項１に記載の移動通信システム。
【請求項４】
前記所定値は、第１所定値及び第２所定値を含み、
前記第２移動局は、受信した前記報知情報に含まれる前記パラメータに前記第１所定値が設定されている場合に、偶数個のリソースブロックによって構成されている前記第２周波数帯域幅を、前記移動通信システムにおいて使用される周波数帯域幅であると判断するように構成されており、
前記第２移動局は、受信した前記報知情報に含まれる前記パラメータに前記第２所定値が設定されている場合に、奇数個のリソースブロックによって構成されている前記第２周波数帯域幅を、前記移動通信システムにおいて使用される周波数帯域幅であると判断するように構成されていることを特徴とする請求項１に記載の移動通信システム。
【発明の詳細な説明】
【技術分野】
【０００１】
本発明は、第１能力を具備する第１移動局及び第２能力を具備する第２移動局が混在することが可能な移動通信システムに関する。
【背景技術】
【０００２】
３ＧＰＰで規定されているＬＴＥ（Ｌｏｎｇ  Ｔｅｒｍ  Ｅｖｏｌｕｔｉｏｎ）方式の移動通信システムでは、無線基地局ｅＮＢが、配下のセルに対して、報知情報を構成するＭＩＢ（Ｍａｓｔｅｒ  Ｉｎｆｏｒｍａｔｉｏｎ  Ｂｌｏｃｋ）内のパラメータ「ｄｌ-Ｂａｎｄｗｉｄｔｈ」によって、かかる移動通信システムの下りリンクにおいて使用される周波数帯域幅を通知するように構成されている。
【０００３】
また、かかる移動通信システムでは、無線基地局ｅＮＢが、配下のセルに対して、報知情報を構成するＳＩＢ２（Ｓｙｓｔｅｍ  Ｉｎｆｏｒｍａｔｉｏｎ  Ｂｌｏｃｋ  Ｔｙｐｅ２）内のパラメータ「ｕｌ-Ｂａｎｄｗｉｄｔｈ」によって、かかる移動通信システムの上りリンクにおいて使用される周波数帯域幅を通知するように構成されている。
【非特許文献１】３ＧＰＰ  ＴＳ３６.３３１  Ｖ８.３.０
【非特許文献２】３ＧＰＰ  ＴＳ３６.２１１  Ｖ８.４.０
【非特許文献３】３ＧＰＰ  ＴＳ３６.２１３  Ｖ８.４.０
【発明の開示】
【発明が解決しようとする課題】
【０００４】
ここで、次世代のＬＴＥ方式の移動通信システムにおいて使用される周波数帯域幅は、現世代のＬＴＥ方式の移動通信システムにおいて使用される周波数帯域よりも大きくなる可能性がある。
【０００５】
また、各国の周波数割り当て事情に基づき、現世代のＬＴＥ方式の移動通信システムでは定義されていない、異なる周波数帯域幅が定義される可能性がある。
【０００６】
そのため、上述のパラメータ「ｄｌ-Ｂａｎｄｗｉｄｔｈ」及び「ｕｌ-Ｂａｎｄｗｉｄｔｈ」には、現時点では当該周波数帯域が割り当てられていない「ｓｐａｒｅ１」及び「ｓｐａｒｅ２」という予備用の値を設定することができるように規定されている。
【０００７】
しかしながら、現世代のＬＴＥ方式に対応しているが、次世代のＬＴＥ方式に対応していない移動局ＵＥは、上述のパラメータ「ｄｌ-Ｂａｎｄｗｉｄｔｈ」及び「ｕｌ-Ｂａｎｄｗｉｄｔｈ」に、「ｓｐａｒｅ１」及び「ｓｐａｒｅ２」が設定されている場合には、次世代のＬＴＥ方式の移動通信システムの上りリンク又は下りリンクにおいて使用される周波数帯域幅を把握することができないため、次世代のＬＴＥ方式の移動通信システムでは、かかる移動局ＵＥを使用することができないという問題点があった。
【０００８】
すなわち、次世代のＬＴＥ方式の移動通信システムにおいて、「Ｆｏｒｗａｒｄ  Ｃｏｍｐａｔｉｂｉｌｉｔｙ」を実現することができないという問題点があった。
【０００９】
そこで、本発明は、上述の課題に鑑みてなされたものであり、上述の「Ｆｏｒｗａｒｄ  Ｃｏｍｐａｔｉｂｉｌｉｔｙ」を実現することができる移動通信システムを提供することを目的とする。
【課題を解決するための手段】
【００１０】
本発明の第１の特徴は、第１能力を具備する第１移動局及び第２能力を具備する第２移動局が混在することが可能な移動通信システムであって、無線基地局が、前記移動通信システムにおいて使用される周波数帯域幅が設定されるパラメータを含む報知情報を送信するように構成されており、受信した前記報知情報に含まれる前記パラメータに所定値が設定されている場合に、前記第１移動局は、第１周波数帯域幅を、前記移動通信システムにおいて使用される周波数帯域幅であると判断するように構成されており、受信した前記報知情報に含まれる前記パラメータに前記所定値が設定されている場合に、前記第２移動局は、前記第１周波数帯域幅とは異なる第２周波数帯域幅を、前記移動通信システムにおいて使用される周波数帯域幅であると判断するように構成されていることを要旨とする。
【００１１】
本発明の第１の特徴において、前記パラメータには、前記移動通信システムの下りリンクにおいて使用される周波数帯域幅が設定されるように構成されており、前記パラメータは、前記報知情報を構成するＭＩＢ（Ｍａｓｔｅｒ  Ｉｎｆｏｒｍａｔｉｏｎ  Ｂｌｏｃｋ）に含まれるように構成されていてもよい。
【００１２】
本発明の第１の特徴において、前記パラメータには、前記移動通信システムの上りリンクにおいて使用される周波数帯域幅が設定されるように構成されており、前記パラメータは、前記報知情報を構成するＳＩＢ（Ｓｙｓｔｅｍ  Ｉｎｆｏｒｍａｔｉｏｎ  Ｂｌｏｃｋ）に含まれるように構成されていてもよい。
【００１３】
本発明の第１の特徴において、前記所定値は、第１所定値及び第２所定値を含み、前記第２移動局は、受信した前記報知情報に含まれる前記パラメータに前記第１所定値が設定されている場合に、偶数個のリソースブロックによって構成されている前記第２周波数帯域幅を、前記移動通信システムにおいて使用される周波数帯域幅であると判断するように構成されており、前記第２移動局は、受信した前記報知情報に含まれる前記パラメータに前記第２所定値が設定されている場合に、奇数個のリソースブロックによって構成されている前記第２周波数帯域幅を、前記移動通信システムにおいて使用される周波数帯域幅であると判断するように構成されていてもよい。
【発明の効果】
【００１４】
以上説明したように、本発明によれば、上述の「Ｆｏｒｗａｒｄ  Ｃｏｍｐａｔｉｂｉｌｉｔｙ」を実現することができる移動通信システムを提供することができる。
【発明を実施するための最良の形態】
【００１５】
（本発明の第１の実施形態に係る移動通信システムの構成）
図１乃至図６を参照して、本発明の第１の実施形態に係る移動通信システムの構成について説明する。
【００１６】
図１に示すように、本実施形態に係る移動通信システムは、次世代のＬＴＥ方式の移動通信システム、例えば、ＬＴＥ（Ｒｅｌｅａｓｅ.  ９）方式の移動通信システム又はＬＴＥ-Ａｄｖａｎｃｅｄ方式の移動通信システムであってもよいし、現世代のＬＴＥ方式、例えば、ＬＴＥ（Ｒｅｌｅａｓｅ.  ８）方式の移動通信システムであってもよい。
【００１７】
なお、図１に示すように、本実施形態に係る移動通信システムは、無線基地局ｅＮＢと、移動局ＵＥ＃１と、移動局ＵＥ＃２とを具備している。
【００１８】
ここで、移動局ＵＥ＃１は、次世代のＬＴＥ方式に対応可能な第１能力を具備する第１移動局であり、移動局ＵＥ＃２は、現世代のＬＴＥ方式、例えば、ＬＴＥ（Ｒｅｌｅａｓｅ.  ８）方式に対応可能な第２能力（次世代のＬＴＥ方式に対応不能）を具備する第２移動局である。
【００１９】
無線基地局ｅＮＢは、配下のセル＃１において、図２に示すように、パラメータ「ｄｌ-Ｂａｎｄｗｉｄｔｈ」を含む報知情報（ＭＩＢ）を送信するように構成されており、図３に示すように、パラメータ「ｕｌ-Ｂａｎｄｗｉｄｔｈ」を含む報知情報（ＳＩＢ２）を送信するように構成されている。
【００２０】
ここで、パラメータ「ｄｌ-Ｂａｎｄｗｉｄｔｈ」には、移動通信システムの下りリンクにおいて使用される周波数帯域幅が設定されるように構成されている。
【００２１】
具体的には、図２に示すように、パラメータ「ｄｌ-Ｂａｎｄｗｉｄｔｈ」には、「ｎ６」、「ｎ１５」、「ｎ２５」、「ｎ５０」、「ｎ７５」、「ｎ１００」、「ｓｐａｒｅ１」及び「ｓｐａｒｅ２」を設定することできるように規定されている。
【００２２】
ここで、パラメータ「ｄｌ-Ｂａｎｄｗｉｄｔｈ」では、「ｎ６」、「ｎ１５」、「ｎ２５」、「ｎ５０」、「ｎ７５」及び「ｎ１００」の６通りを表現するために、最低３ビットが必要である。
【００２３】
「ｄｌ-Ｂａｎｄｗｉｄｔｈ」が３ビットで表された場合、全部で８通りの値を表現することができるため、スペアとして「ｓｐａｒｅ１」及び「ｓｐａｒｅ２」が定義されている。
【００２４】
なお、「ｄｌ-Ｂａｎｄｗｉｄｔｈ」が４ビットで表された場合、全部で１６通りの値を表現することができるため、スペアとして「ｓｐａｒｅ１」乃至「ｓｐａｒｅ１０」が定義されても良く、この場合にも、本発明を同様に適用できる。
【００２５】
また、パラメータ「ｕｌ-Ｂａｎｄｗｉｄｔｈ」には、移動通信システムの上りリンクにおいて使用される周波数帯域幅が設定されるように構成されている。
【００２６】
具体的には、図３に示すように、パラメータ「ｕｌ-Ｂａｎｄｗｉｄｔｈ」には、「ｎ６」、「ｎ１５」、「ｎ２５」、「ｎ５０」、「ｎ７５」、「ｎ１００」、「ｓｐａｒｅ１」及び「ｓｐａｒｅ２」を設定することできるように規定されている。
【００２７】
ここで、パラメータ「ｕｌ-Ｂａｎｄｗｉｄｔｈ」では、「ｎ６」、「ｎ１５」、「ｎ２５」、「ｎ５０」、「ｎ７５」及び「ｎ１００」の６通りを表現するために、最低３ビットが必要である。
【００２８】
「ｕｌ-Ｂａｎｄｗｉｄｔｈ」が３ビットで表された場合、全部で８通りの値を表現することができるため、スペアとして「ｓｐａｒｅ１」及び「ｓｐａｒｅ２」が定義されている。
【００２９】
なお、「ｕｌ-Ｂａｎｄｗｉｄｔｈ」が４ビットで表された場合、全部で１６通りの値を表現することができるため、スペアとして「ｓｐａｒｅ１」乃至「ｓｐａｒｅ１０」が定義されても良く、この場合にも、本発明を同様に適用できる。
【００３０】
また、「ｎ６」、「ｎ１５」、「ｎ２５」、「ｎ５０」、「ｎ７５」及び「ｎ１００」は、下りリンク又は上りリンクにおいて使用される周波数帯域幅、及び、かかる周波数帯域幅を構成するリソースブロック数を示すものである。
【００３１】
具体的には、「ｎ６」は、かかる周波数帯域幅が「１.４ＭＨｚ」であり、かかるリソースブロック数が「６」であることを示し、「ｎ１５」は、かかる周波数帯域幅が「３ＭＨｚ」であり、かかるリソースブロック数が「１５」であることを示し、「ｎ２５」は、かかる周波数帯域幅が「５ＭＨｚ」であり、かかるリソースブロック数が「２５」であることを示し、「ｎ５０」は、かかる周波数帯域幅が「１０ＭＨｚ」であり、かかるリソースブロック数が「５０」であることを示し、「ｎ７５」は、かかる周波数帯域幅が「１５ＭＨｚ」であり、かかるリソースブロック数が「７５」であることを示し、「ｎ１００」は、かかる周波数帯域幅が「２０ＭＨｚ」であり、かかるリソースブロック数が「１００」であることを示す。
【００３２】
ここで、次世代のＬＴＥ方式の無線基地局ｅＮＢは、「ｓｐａｒｅ１」及び「ｓｐａｒｅ２」に対して、移動通信システムの上りリンク又は下りリンクにおいて使用される周波数帯域幅を設定することができるように構成されている。
【００３３】
一方、現世代のＬＴＥ方式の無線基地局ｅＮＢは、「ｓｐａｒｅ１」及び「ｓｐａｒｅ２」に対して、移動通信システムの上りリンク又は下りリンクにおいて使用される周波数帯域幅を設定することができないように構成されている。
【００３４】
図４に示すように、移動局ＵＥは、報知情報受信部１１と、解析部１２と、通信部１３とを具備する。
【００３５】
報知情報受信部１１は、無線基地局ｅＮＢによって送信される報知情報を受信するように構成されている。具体的には、報知情報受信部１１は、かかる報知情報を構成するＭＩＢやＳＩＢ１やＳＩＢ２等を受信するように構成されている。
【００３６】
解析部１２は、報知情報受信部１１によって受信された報知情報（ＭＩＢ）に含まれるパラメータ「ｄｌ-Ｂａｎｄｗｉｄｔｈ」を解析することによって、かかる移動通信システムの下りリンクにおいて使用される周波数帯域幅を検出するように構成されている。
【００３７】
また、解析部１２は、報知情報受信部１１によって受信された報知情報（ＳＩＢ２）に含まれるパラメータ「ｕｌ-Ｂａｎｄｗｉｄｔｈ」を解析することによって、かかる移動通信システムの上りリンクにおいて使用される周波数帯域幅を検出するように構成されている。
【００３８】
ここで、移動局ＵＥ＃２の解析部１２は、パラメータ「ｄｌ-Ｂａｎｄｗｉｄｔｈ」又は「ｕｌ-Ｂａｎｄｗｉｄｔｈ」に「ｓｐａｒｅ１」及び「ｓｐａｒｅ２」が設定されている場合には、移動通信システムにおいて使用される周波数帯域幅がパラメータ「ｄｌ-Ｂａｎｄｗｉｄｔｈ」又は「ｕｌ-Ｂａｎｄｗｉｄｔｈ」に設定されていないと判断するように構成されていてもよい。
【００３９】
例えば、移動局ＵＥ＃２の解析部１２は、図５（ａ）に示すテーブルを参照して、パラメータ「ｄｌ-Ｂａｎｄｗｉｄｔｈ」又は「ｕｌ-Ｂａｎｄｗｉｄｔｈ」に「ｎ６」が設定されている場合に、「ｎ６」に対応する「１.４ＭＨｚ」を、かかる移動通信システムの下りリンク又は上りリンクにおいて使用される周波数帯域幅であると判断するように構成されている。
【００４０】
同様に、移動局ＵＥ＃１の解析部１２は、図５（ｂ）に示すテーブルを参照して、パラメータ「ｄｌ-Ｂａｎｄｗｉｄｔｈ」又は「ｕｌ-Ｂａｎｄｗｉｄｔｈ」に「ｎ６」が設定されている場合に、「ｎ６」に対応する「１.４ＭＨｚ」を、かかる移動通信システムの下りリンク又は上りリンクにおいて使用される周波数帯域幅であると判断するように構成されている。
【００４１】
すなわち、移動局ＵＥ＃２の解析部１２及び移動局ＵＥ＃１の解析部１２は、パラメータ「ｄｌ-Ｂａｎｄｗｉｄｔｈ」又は「ｕｌ-Ｂａｎｄｗｉｄｔｈ」に「ｎ６」乃至「ｎ１００」が設定されている場合には、それぞれ、「ｎ６」乃至「ｎ１００」に対応する周波数帯域幅を、かかる移動通信システムの下りリンク又は上りリンクにおいて使用される周波数帯域幅であると判断するように構成されている。
【００４２】
一方、移動局ＵＥ＃２の解析部１２は、図５（ａ）に示すテーブルを参照して、パラメータ「ｄｌ-Ｂａｎｄｗｉｄｔｈ」又は「ｕｌ-Ｂａｎｄｗｉｄｔｈ」に「ｓｐａｒｅ１（所定値）」が設定されている場合に、「ｎ１００」に対応する「２０ＭＨｚ（第２周波数帯域幅）」を、かかる移動通信システムの下りリンク又は上りリンクにおいて使用される周波数帯域幅であると判断するように構成されている。
【００４３】
また、移動局ＵＥ＃２の解析部１２は、図５（ａ）に示すテーブルを参照して、パラメータ「ｄｌ-Ｂａｎｄｗｉｄｔｈ」又は「ｕｌ-Ｂａｎｄｗｉｄｔｈ」に「ｓｐａｒｅ２（所定値）」が設定されている場合に、「ｎ７５」に対応する「１５ＭＨｚ（第２周波数帯域幅）」を、かかる移動通信システムの下りリンク又は上りリンクにおいて使用される周波数帯域幅であると判断するように構成されている。
【００４４】
これに対して、移動局ＵＥ＃１の解析部１２は、図５（ｂ）に示すテーブルを参照して、パラメータ「ｄｌ-Ｂａｎｄｗｉｄｔｈ」又は「ｕｌ-Ｂａｎｄｗｉｄｔｈ」に「ｓｐａｒｅ１（所定値）」が設定されている場合に、「ｎ２００」に対応する「４０ＭＨｚ（第１周波数帯域幅）」を、かかる移動通信システムの下りリンク又は上りリンクにおいて使用される周波数帯域幅であると判断するように構成されている。
【００４５】
また、移動局ＵＥ＃１の解析部１２は、図５（ｂ）に示すテーブルを参照して、パラメータ「ｄｌ-Ｂａｎｄｗｉｄｔｈ」又は「ｕｌ-Ｂａｎｄｗｉｄｔｈ」に「ｓｐａｒｅ２（所定値）」が設定されている場合に、「ｎ１２５」に対応する「２５ＭＨｚ（第１周波数帯域幅）」を、かかる移動通信システムの下りリンク又は上りリンクにおいて使用される周波数帯域幅であると判断するように構成されている。
【００４６】
このように、移動局ＵＥ＃２の解析部１２及び移動局ＵＥ＃１の解析部１２は、パラメータ「ｄｌ-Ｂａｎｄｗｉｄｔｈ」又は「ｕｌ-Ｂａｎｄｗｉｄｔｈ」に「ｓｐａｒｅ１」及び「ｓｐａｒｅ２」が設定されている場合には、それぞれ、異なる周波数帯域幅を、かかる移動通信システムの下りリンク又は上りリンクにおいて使用される周波数帯域幅であると判断するように構成されている。
【００４７】
また、移動局ＵＥ＃２の解析部１２は、パラメータ「ｄｌ-Ｂａｎｄｗｉｄｔｈ」又は「ｕｌ-Ｂａｎｄｗｉｄｔｈ」に「ｓｐａｒｅ１（第１所定値）」が設定されている場合に、偶数個のリソースブロックによって構成されている第２周波数帯域幅（例えば、「ｎ１００」に対応する「２０ＭＨｚ」）を、移動通信システムの下りリンク又は上りリンクにおいて使用される周波数帯域幅であると判断するように構成されていてもよい。
【００４８】
また、移動局ＵＥ＃２の解析部１２は、パラメータ「ｄｌ-Ｂａｎｄｗｉｄｔｈ」又は「ｕｌ-Ｂａｎｄｗｉｄｔｈ」に「ｓｐａｒｅ２（第２所定値）」が設定されている場合に、奇数個のリソースブロックによって構成されている第２周波数帯域幅（例えば、「ｎ７５」に対応する「１５ＭＨｚ」）を、移動通信システムの下りリンク又は上りリンクにおいて使用される周波数帯域幅であると判断するように構成されていてもよい。
【００４９】
かかる構成によれば、将来、偶数個のリソースブロックによって構成されている周波数帯域幅が拡張された場合に、パラメータ「ｄｌ-Ｂａｎｄｗｉｄｔｈ」又は「ｕｌ-Ｂａｎｄｗｉｄｔｈ」に「ｓｐａｒｅ１」を設定し、奇数個のリソースブロックによって構成されている周波数帯域幅が拡張された場合に、パラメータ「ｄｌ-Ｂａｎｄｗｉｄｔｈ」又は「ｕｌ-Ｂａｎｄｗｉｄｔｈ」に「ｓｐａｒｅ２」を設定することによって、移動局ＵＥ＃２の解析部１２は、偶数個のリソースブロックによって構成されている周波数帯域幅が拡張された場合及び奇数個のリソースブロックによって構成されている周波数帯域幅が拡張された場合の両方に対応することができる。
【００５０】
具体的には、ＬＴＥ方式では、セルサーチに用いられるシンクロナイゼーションチャネル（ＳＣＨ）及び報知情報ＭＩＢを送信する報知チャネル（ＢＣＨ）が、移動通信システムにおいて使用される周波数帯域幅の中心の６リソースブロックに相当する周波数帯域幅で送信される。
【００５１】
ここで、周波数帯域幅が奇数個のリソースブロックで構成される場合と、周波数帯域幅が偶数個のリソースブロックで構成される場合とで、かかるリソースブロック内で当該物理チャネル（ＳＣＨ及びＢＣＨ）のシンボル配置が異なる。
【００５２】
したがって、かかる場合、移動局ＵＥ＃２の解析部１２では、「ｓｐａｒｅ１」が設定されている場合と、「ｓｐａｒｅ２」が設定されている場合とで、上述のチャネル（ＳＣＨ/ＢＣＨ等）の受信方法が異なるように構成されていることが望ましい。
【００５３】
また、移動局ＵＥ＃２の解析部１２は、図５（ａ）に示すテーブルを参照して、パラメータ「ｄｌ-Ｂａｎｄｗｉｄｔｈ」又は「ｕｌ-Ｂａｎｄｗｉｄｔｈ」に「ｓｐａｒｅ１」及び「ｓｐａｒｅ２」が設定されている場合に、それぞれ異なる周波数帯域幅を、かかる移動通信システムの下りリンク又は上りリンクにおいて使用される周波数帯域幅であると判断するように構成されていてもよい。
【００５４】
また、移動局ＵＥ＃２の解析部１２は、図５（ａ）に示すテーブルを参照して、パラメータ「ｄｌ-Ｂａｎｄｗｉｄｔｈ」又は「ｕｌ-Ｂａｎｄｗｉｄｔｈ」に「ｓｐａｒｅ１」及び「ｓｐａｒｅ２」が設定されている場合に、かかる移動通信システムを利用不可と判断するように構成されていてもよい。
【００５５】
また、移動局ＵＥ＃１の解析部１２は、前記パラメータ「ｄｌ-Ｂａｎｄｗｉｄｔｈ」又は「ｕｌ-Ｂａｎｄｗｉｄｔｈ」以外のパラメータ「ＥｘｔｅｎｄｅｄＢａｎｄｗｉｄｔｈ」を報知情報から受信し、かかる「ｄｌ-Ｂａｎｄｗｉｄｔｈ」、「ｕｌ-Ｂａｎｄｗｉｄｔｈ」及び/又は「ＥｘｔｅｎｄｅｄＢａｎｄｗｉｄｔｈ」に基づき、かかる移動通信システムの下りリンク又は上りリンクにおいて使用される周波数帯域幅を判断するように構成されていてもよい。
【００５６】
通信部１３は、解析部１２によって判断された周波数帯域幅内で、個別下りリンク共有チャネルＰＤＳＣＨ（Ｐｈｙｓｉｃａｌ  Ｄｏｗｎｌｉｎｋ  Ｓｈａｒｅｄ  Ｃｈａｎｎｅｌ）や個別下りリンク制御チャネルＰＤＣＣＨ（Ｐｈｙｓｉｃａｌ  Ｄｏｗｎｌｉｎｋ  Ｃｏｎｔｒｏｌ  Ｃｈａｎｎｅｌ）等の下りチャネルを介して所定信号を受信するように構成されている。
【００５７】
また、通信部１３は、解析部１２によって判断された周波数帯域幅内で、個別上りリンク共有チャネルＰＵＳＣＨ（Ｐｈｙｓｉｃａｌ  Ｕｐｌｉｎｋ  Ｓｈａｒｅｄ  Ｃｈａｎｎｅｌ）や個別上りリンク制御チャネルＰＵＣＣＨ（Ｐｈｙｓｉｃａｌ  Ｕｐｌｉｎｋ  Ｃｏｎｔｒｏｌ  Ｃｈａｎｎｅｌ）や物理ランダムアクセスチャネルＰＲＡＣＨ（Ｐｈｙｓｉｃａｌ  Ｒａｎｄｏｍ  Ａｃｃｅｓｓ  Ｃｈａｎｎｅｌ）等の上りチャネルを介して所定信号を送信するように構成されている。
【００５８】
例えば、図６に示すように、移動局ＵＥ＃１の通信部１３は、４０ＭＨｚ内で、下りチャネルを介して所定信号を受信し、上りチャネルを介して所定信号を送信するように構成されている。
【００５９】
一方、図６に示すように、移動局ＵＥ＃２の通信部１３は、２０ＭＨｚ内で、下りチャネルを介して所定信号を受信し、上りチャネルを介して所定信号を送信するように構成されている。
【００６０】
（本発明の第１の実施形態に係る移動通信システムの作用・効果）
本発明の第１の実施形態に係る移動通信システムによれば、現世代のＬＴＥ方式に対応しており、次世代のＬＴＥ方式の移動通信システムに対応していない移動局ＵＥ＃２が、パラメータ「ｄｌ-Ｂａｎｄｗｉｄｔｈ」又は「ｕｌ-Ｂａｎｄｗｉｄｔｈ」に「ｓｐａｒｅ１」及び「ｓｐａｒｅ２」が設定されている場合であっても、所定の周波数帯域を、かかる移動通信システムの下りリンク又は上りリンクにおいて使用される周波数帯域幅であると判断するように構成されているため、次世代のＬＴＥ方式の移動通信システムにおいて、かかる移動局ＵＥを使用することができる。
【００６１】
なお、上述の移動局ＵＥや無線基地局ｅＮＢの動作は、ハードウェアによって実施されてもよいし、プロセッサによって実行されるソフトウェアモジュールによって実施されてもよいし、両者の組み合わせによって実施されてもよい。
【００６２】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００６３】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ内に設けられていてもよい。また、かかる記憶媒体及びプロセッサは、ディスクリートコンポーネントとして移動局ＵＥや無線基地局ｅＮＢ内に設けられていてもよい。
【００６４】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【００６５】
【図１】本発明の第１の実施形態に係る移動通信システムの全体構成図である。
【図２】本発明の第１の実施形態に係る無線基地局によって送信される報知情報（ＭＩＢ）の一例を示す図である。
【図３】本発明の第１の実施形態に係る無線基地局によって送信される報知情報（ＳＩＢ２）の一例を示す図である。
【図４】本発明の第１の実施形態に係る移動局の機能ブロック図である。
【図５】本発明の第１の実施形態に係る移動局によって管理している「パラメータ」と「システム帯域幅」との関係の一例を示す図である。
【図６】本発明の第１の実施形態に係る移動局で使用可能なシステム帯域幅の一例を示す図である。
【符号の説明】
【００６６】
ＵＥ…移動局
１１…報知情報受信部
１２…解析部
１３…通信部
【図１】
2010136309.tif 000003
【図２】
2010136309.tif 000004
【図３】
2010136309.tif 000005
【図４】
2010136309.tif 000006
【図５】
2010136309.tif 000007
【図６】
2010136309.tif 000008